Podtech/llm-jp-corpus-v4-ja_patent huggingface dataset:
(57)【要約】【課題】静穏化が進む電車やバス等の公共交通手段の車内において、走行による騒音が減少したため、乗客から不快な音として俄に知覚されるようになったつり革の軋り音を抑制することができるつり革の構造を提供する。【解決手段】連結基部１０１と、連結基部より延出するアーム部１０２と、つかまり部１０３、つり革保持パイプ１０４という構成である。連結基部とアーム部は一体の無端ベルトであり、つり革保持パイプと接する内側面にフッ素樹脂製のテープが貼ってある。【選択図】図１
2011037328.tif 000002
【特許請求の範囲】
【請求項１】
車両内に架け渡されたつり革保持パイプに設けられているつり革保持位置に揺動可能に位置決め保持されるつり革であって、
前記つり革を構成する吊り輪を通した無端ベルト内側の前記つり革保持パイプ表面との摺動面に摩擦係数の低い材料からなるテープの貼り付け又はコーティングを施して、前記つり革の揺動による軋り音の発生を抑制したことを特徴とする車両用つり革構造。
【請求項２】
車両内に架け渡されたつり革保持パイプに設けられているつり革保持位置に揺動可能に位置決め保持されるつり革であって、
前記つり革を構成するつり革保持パイプへの連結基部における摺動面に摩擦係数の低い材料からなるテープの貼り付け又はコーティングを施して、前記つり革の揺動による軋り音の発生を抑制したことを特徴とする車両用つり革構造。
【請求項３】
前記摩擦係数の低い材料は、フッ素樹脂であることを特徴とする特許請求範囲第1項又は2項記載の車両用つり革構造。
【発明の詳細な説明】
【技術分野】
【０００１】
本発明は、車両内のつり革が揺動することで発生すること軋り音を抑制するつり革構造に関するものである。
【背景技術】
【０００２】
最近は、車両の走行に関する技術の向上により、走行によって発生する騒音が大幅に減少している。一例をあげれば、電車の「ガタン、ゴトン」というレールの継ぎ目で発生した音はロングレール化の技術により過去のものとなりつつある。そのため、従来であれば、走行音にかき消されて問題にならなかった車両内の音が、不快なものとして俄に問題となってきている。
【０００３】
又、路上車両においても静穏性が向上し、特にハイブリットカーの静穏性は際だつものであり、今後電気自動車の普及が予想され、車内の静穏性を阻害する要因として、つり革の発生する軋り音は見逃せないものとなってきている。
【０００４】
騒音を軽減して乗員が快適に乗車できるようにするという問題に関しては、特許文献１に記載されているように空調装置に関するものがある。出願人が知る限りでは、車両内のつり革が発生する不快音に対して技術的解決を試みているものは見当たらない。
【特許文献１】特開2007-069657
【発明の開示】
【発明が解決しようとする課題】
【０００５】
電車、路上車両の静穏性の向上により、一層軋り音が際だつようになっているつり革の静穏性を向上させる構造のつり革を提供することが本発明の課題である。
【課題を解決するための手段】
【０００６】
本発明者は、上記課題を達成するため鋭意検討の結果、つり革を構成する無端ベルトと保持パイプとの摺動面にフッ素樹脂加工を施すことにより実現可能であることを知見し、本発明をなすに至った。
【０００７】
特許請求の範囲第1項の発明は、車両内に架け渡されたつり革保持パイプに設けられているつり革保持位置に揺動可能に位置決め保持されるつり革であって、
前記つり革を構成する吊り輪を通した無端ベルト内側の前記つり革保持パイプ表面との摺動面に摩擦係数の低い材料からなるテープの貼り付け又はコーティングを施して、前記つり革の揺動による軋り音の発生を抑制したことを特徴とする車両用つり革構造である。
【０００８】
特許請求の範囲第2項の発明は、車両内に架け渡されたつり革保持パイプに設けられているつり革保持位置に揺動可能に位置決め保持されるつり革であって、
前記つり革を構成するつり革保持パイプへの連結基部における摺動面に摩擦係数の低い材料からなるテープの貼り付け又はコーティングを施して、前記つり革の揺動による軋り音の発生を抑制したことを特徴とする車両用つり革構造である。
【０００９】
特許請求の範囲第3項の発明は、請求項1又は2に記載の摩擦係数の低い材料としてフッ素樹脂を採用したことを特徴とする。フッ素樹脂のように静摩擦係数で0．04という低い摩擦係数を発揮し、本発明が要求する低い摩擦係数を満たす。本発明の低い摩擦係数の低い材料は、静摩擦係数もしくは動摩擦係数が対鋼で測定して0．2以下が望ましい。
【発明の効果】
【００１０】
本発明により、つり革保持位置におけるパイプ面と無端ベルト内面との摩擦が大幅に減少し、乗客が吊り輪を掴んで体重を掛けた状態で、車両の揺れにつれてつり革が揺動したときの、つり革保持部での軋り音発生を抑制する効果がある。それにより、静穏性が向上した最近の車両内の快適性が向上する。
【実施例】
【００１１】
図１は、本発明のつり革とつり革保持位置を含むつり革保持パイプ部分を示した概略構成図である。
【００１２】
連結基部１０１と、連結基部より延出するアーム部１０２と、つかまり部１０３、つり革保持パイプ１０４、つり革保持部材１０５という構成である。連結基部１０１とアーム部１０２は一体の無端ベルトであり、つり革保持パイプ１０４と接する内側面にフッ素樹脂製のテープが貼ってある。また、つり革保持部材１０５は、つり革がつり革保持位置からずれていくのを防止するためのコの字状の金具であり、つり革保持パイプに接着もしくはネジ止めしてある。
【００１３】
図２は、連結基部を拡大し、つり革保持パイプ１０４の断面に垂直方向からの視点の図面である。無端ベルト部材２０１の内側表面にフッ素樹脂製のテープ２０２が張られている様子を示している。ここではフッ素樹脂製のテープの貼り付けを採用しているが、この摺動面にフッ素樹脂コーティングを施しても良い。
【００１４】
ここでアーム部と連結基部は一体の無端ベルトとしたが、アーム部と連結基部とを別体としてもよい。例えばアーム部をロッドとし、内側をフッ素樹脂加工したリング状の連結基部をつり革保持パイプに通してもよい。
【産業上の利用可能性】
【００１５】
本発明のシステムは、電車内のつり革に適用可能であり、静穏化が進む最新の車両にとって静寂性を向上させる効果が大きい。又、一般車両においては、現在普及中のハイブリットカーに利用可能であり、さらには、今後登場が予想される電気自動車のように高度に静穏性を発揮すると思われる車両への利用が期待される。
【図面の簡単な説明】
【００１６】
【図１】本発明のつり革構造の概略構成図
【図２】連結部
【符号の説明】
【００１７】
１０１  連結基部  
１０２  アーム部
１０３  つかまり部
１０４  つり革保持パイプ
【図１】
2011037328.tif 000003
【図２】
2011037328.tif 000004
(57)【要約】【課題】  農作物生産において使用する農薬の使用量は極めて大きい数値を示しています。したがって、できるだけ早くの農薬使用量削減が求められている。【課題の解消】  本発明は、上記に示した課題の解消を目的に開発されたもので、蚊取り線香の防虫効果を利用して農作物生産に伴う害虫（ダニ等）の駆除に用いることで農薬使用量を削減する方法である。【特許請求の範囲】
【請求項１】
夏期において蚊取り線香は、我々人間や動物が蚊に刺されることから身を守ってくれます。人間や動物が蚊から身を守る効果を得ていますが、本発明は蚊取り線香の防虫効果を利用して植物の栽培に伴う害虫（ダニ等）の駆除に利用する方法である。
先ず、図３、４、に示す、携帯用蚊取り線香燃焼機６内部に、あらかじめ火のついた蚊取り線香９を入れ込む、このようなものを多数作り、図１に示す煙発生散布装置の下部に位置する煙発生装置４の内部に燃焼する構造で設置することで発生した煙は上部に位置する煙保存タンク２内に蓄積される。さらに、蓄積された煙を、栽培されている野菜や果樹などの農産物に散布する散布ブロアー１を用いて煙保存タンク２内の煙を、ジャバラホース８を介して農産物に散布する。このような方法で、蚊取り線香の煙（燃焼気化ガス）を農作物に散布することで、茎や葉などに生息するダニ等などの害虫を駆除するなどの蚊取り線香を用いて植物に生息する害虫を駆除する方法。
【発明の詳細な説明】
【技術分野】
【０００１】農作物生産に伴う農薬の使用は環境破壊など、社会問題視されています。本方法は、これらの農薬使用量減少することで、課題の解消を目的としたものである。
【背景技術】
【０００２】  私は農業関係の仕事をしていますが、日頃から減農薬に気を使っています。その日もリンゴ園から取ってきた葉のダニ生息環境を、顕微鏡を用いて調べていました。観察室にはクーラーは無く、何時も蚊に刺されます。そんな関係から廻りに蚊取り線香があります。リンゴの葉を用いてダニの生息状況を観察中、ふと、横を見ると蚊取り線香が煙を出しています。何気なく手に取り、観察中の葉に蚊取り線香の煙を当ててみました。そして再度顕微鏡に葉をセットし、覗いてみました。リンゴハダニ、ナミハダニ、が死んでいます。本、害虫駆除方法は、ダニ生息状況観察中に何気なく起きた出来事から生まれた方法。
特許文献に付きましては、調べましたが本発明に関連した同種の文献はありませんでした。
【発明の開示】
【発明が解決しようとする課題】
【０００３】  農産物を生産する過程において農薬の使用は避けられないものがあります。しかし、農薬の使用は農業生産圃場環境を徐所に破壊していることも事実です。本発明はこれらの課題の解消を目的に、蚊取り線香の防虫作用を利用して農産物栽培をすることで、農薬使用量を軽減する。
【課題を解決するための手段】
【０００４】  蚊取り線香の煙には殺虫作用を持つペレトリンが含まれています。この殺虫物質は昆虫には極めて強い殺虫作用しますが、私たち人間など哺乳類には作用を示さないなどの特徴を持っています。したがって、除虫菊としての使用を含め人畜防虫剤として使用されています。本発明はこれらを人畜防虫剤として使用するのではなく、植物の栽培に伴う害虫の駆除に利用することで農薬使用の軽減をするものである。
【発明の効果】
【０００５】  リンゴ栽培事例を持って説明する。リンゴ栽培においてダニに関する農薬防除は年間に３回前後行われています。蚊取り線香の防虫効果を利用することでダニ剤の使用は無くなる、したがって、ダニ剤使用量が減った分の減農薬栽培が行われたことになります。
【発明を実施するための最良の形態】
【０００６】  果樹類においても野菜類においても栽培面積が広くなっています。したがって、現在、我々が蚊取り線香を用いる方法では対処しきれないことが考えられます。
多くの蚊取り線香を燃焼させることで発生する煙を煙保存タンク２内に蓄え、その煙を散布ブロアー１とジャバラホース８を用いて農産物に散布する方法である。
【実施例】
【０００７】  図４に示す携帯用蚊取り線香燃焼機６内部に火をつけた蚊取り線香を多数用意し、煙発生装置４内部に設置する。（図１の場合には携帯用蚊取り線香燃焼機は１０個）煙が煙保存タンク２内部に蓄積されるのを待って、散布ブロアー１を駆動させることでジャバラホース８の端から煙（蚊取り線香の燃焼ガス）が噴出する。ホースの端を持って農作物に散布する。
【産業上の利用可能性】
【０００８】  農作物生産に伴う農薬使用量は極めて大きな数値を示し、殺ダニ用農薬は比較的高額で農家の家計を苦しめています。また、農薬による環境汚染の課題解消効果もあります。したがって、多くの農産物生産者に使っていただけるものと考えています。
【図面の簡単な説明】
【０００９】
【図１】  煙発生散布装置側面図
【図２】  煙発生散布装置正面図
【図３】  携帯用蚊取り線香燃焼機平面図
【図４】  携帯用蚊取り線香燃焼機側面図
【符号の説明】１、    散布ブロアー        ２、    煙保存タンク
３、    移動用レバー        ４、    煙発生装置
５、    停止用スタンド      ６、    携帯用蚊取り線香燃焼機
７、    車輪                ８、    ジャバラホース
９、    蚊取り線香        １０、    燃焼機固定板
【図１】
2011037815.tif 000002
【図２】
2011037815.tif 000003
【図３】
2011037815.tif 000004
【図４】
2011037815.tif 000005
(57)【要約】      （修正有）【課題】癌治療薬、軟膏、目薬、水虫薬及び化粧品に有用な物質の提供。【解決手段】百合油を配合してなる癌治療薬。百合油は、癌細胞の分裂を止める力があり、癌細胞を死滅させる力があると考えられる。さらに、百合油を配合してなる軟膏、目薬、水虫薬及び化粧品。【選択図】なし【特許請求の範囲】
日本で百合油を製造する権利
百合油を配合して軟膏や目薬、水虫薬、化粧品を製造する権利
【発明の詳細な説明】
油には菜種油、大豆油、ゴマ油、オリーブ油などが主たるところですが百合油は日本ではあまり知られておりません．中国では漢方薬として古くから生産されております．ヤマユリをはじめ食用のユリ根は昔から癌に効くと云われておりました。
植物や野菜には根のもの  葉のもの  実のものに分別されます  栄養的に一番良いのが根のもの次に葉のもの次に実のものと、聞きます。
菜種油、大豆油、ゴマ油、オリーブ油は、実のものです．
一年で多量に収獲ができ、広く食用として利用されております。百合油は食用というより薬品になります．
食用油が一年〜五年で酸化してくるのに百合油は十年二十年でも酸化しなくて、美しい透明を保ちます。
図鑑によりますとヤマユリ、生薬名百合（びゃくごう）別名コウライ  ボンノハナ  ハナユリ  ユリ科、腫れもの滋養、強壮によい、採取時期  秋、薬用には採取した鱗茎を水洗いした後刻んで日干しにするです．百合油は、専門家のお力によって油を製造致します。
百合油が癌に効果があると申しますのは、指の魚の目で何年も苦しんでおりました所或る日百合油を切除した患部に湿布しましたら、切除部分が落着いてくると申しますか癌が死滅した様なのです．五時間ごとに湿布を致しますと、魚の目が少しずつ小さくなって良くなってまいりましたので、早くお知らせしようと考えました。
百合油の効果によって女性の乳癌や皮膚癌他にも応用できるかと確信致します．又、百合油を配合することによって軟膏や目菜、水虫薬や化粧品などにも良いと考えられます。
2011037816.tif 000002
【手続補正書】
【提出日】平成21年11月9日(2009.11.9)
【手続補正２】
【補正対象書類名】明細書
【補正対象項目名】全文
【補正方法】変更
【補正の内容】
【発明の詳細な説明】
油には菜種油、大豆油、ゴマ油、オリーブ油などが主たるところですが、百合油は日本ではあまり知られておりません、中国では漢方薬として古くから生産されております。ヤマユリをはじめ食用のユリ根は昔から癌に効くと云われておりました。植物や野菜には根のもの葉のもの実のものに分別されます、栄養的に一番良いのが根のもの次に葉のもの次に実のものと聞きます。菜種油、大豆油、ゴマ油、オリーブ油は実のものです、一年で多量に収獲ができ、広く食用として利用されております、百合油は食用というより薬品になります。食用油が一年〜五年で酸化してくるのに百合油は十年二十年でも酸化しなくて美しい透明を保ちます。
【０００１】図鑑によりますと、ヤマユリ、生薬名百合（びゃくごう）別名コウライ  ボンノハナ  ハナユリ  ユリ科  腫れもの滋養強壮によい、採取時期秋薬用には採取した鱗茎を水洗いした後刻んで日干しにするです。百合油は専門家のお力によって油を製造致します。百合油が癌に効果があると申しますのは、指の魚の目で何年も苦しんでおりました所或る日百合油を切除した患部に湿布しましたら、切除部分が落着いてくると申しますか、癌が死滅した様なのです、五時間ごとに湿布を致しますと魚の目が少しずつ小さくなって良くなってまいりましたので、早くお知らせしようと考えました。百合油の効果によって女性の乳癌や皮膚癌他にも応用できるかと確信致します、又、百合油を配合することによって軟膏や目薬、水虫薬や化粧品などにも良いと考えられます。
【図面の簡単な説明】
【０００２】
【図１】ヤマユリの花の図
【図２】ヤマユリの根の図
【手続補正３】
【補正対象書類名】図面
【補正対象項目名】全図
【補正方法】変更
【補正の内容】
【図１】
2011037816.tif 000003
【図２】
2011037816.tif 000004
(57)【要約】【課題】稲、穀物、野菜等の種子消毒効果の成果、ならびに、環境ホルモンに悪影響を及ばさない安全、安心な消毒方法の提供。しかも、高額な設備投資を押さえ、比較的簡単な技術でもって、諸効果の上がることを特徴とした。【解決手段】本発明は、上記諸課題を電解水溶液±ｐＨ１０で調整をすることで解決したことを特徴とする。【選択図】なし【特許請求の範囲】
【請求項１】
塩水溶液を±ｐＨ１０のアルカリ性水溶液を得たことを特徴とする種子消毒剤。
【請求項２】
上記を電解水溶液に得たことを特徴とする各種種子消毒剤。
【請求項３】
請求項１から２を含み、その生成±ｐＨ調整は、本発明の趣旨を逸脱しない範囲の変更は本発明に含まれる。
【発明の詳細な説明】
【技術分野】
【０００１】本発明は、稲、穀物、野菜等の農園作物の消毒方法に関するものである。
【背景技術】
【０００２】各種の種子消毒において農薬処理剤が有効として種子消毒処理されているが、多種にわたる農薬処理剤は、効力においてバラツキが見られ、安定効果が依然とないままが実態である。
【発明の開示】
【発明が解決しようとする課題】
【０００３】前記従来、各種の種子消毒液は、農薬を用いられてきたが為に、処理後の廃液処理が環境ホルモンの悪化原因になっている。本発明の農薬に頼らない各種の種子消毒体系を確立し、国土保全、環境保全型農業を本発明でもって実用上安定効果が得られる開発とした。【０００４】本発明は、このような実状に鑑みなされたものであり，各種の種子消毒効果が追求でき得る技術開発、その提供を目的とする。
【課題を解決するための手段】
【０００５】課題を解決するため、本発明技術は、好ましくは塩水を電気分解とした有効成分に生成をした天然物質の活用を図ったことによって、均質な物質の安定供給を可能とした、合理的構成が得られ、この発明に到達した。
【発明の効果】
【０００６】以上のように、本発明技術は、有効成分を無駄なく発揮され、その±ｐＨ１０に生成した電解水溶液のアルカリ性の細菌病害対策は、環境への影響を低減するのを目的とする。主材料は、地域資源の利用技術となり地域産業に貢献をする。【０００７】天然素材の有用な特徴とｐＨ効果の活用は、各種の種子消毒は、種子の発芽率、発芽勢の向上が図られ、消毒効果に優れた効果を得ることができた。【０００８】電解水溶液に各種種子を１時間浸し液体物質を含有させることにより、安定、安全しかも経済性に優れた実用用剤ができた。しかも、天然資源の活用から安定供給ができ、規模の自在設定ができることを特徴とする。
【発明を実施するための最良の形態】
【０００９】本発明は、好ましくは塩水溶液を±ｐＨ１０のアルカリ性水溶液を生成する安定供給の、洗浄力、細菌対策として有効な電解水溶液を活用し、効果を得る。【００１０】上記技術でもって、稲、穀類、野菜等の種子消毒が容易に出来ることを特徴とした。
【産業上の利用可能性】
【００１１】以上、説明のとおり、農業生産上有用な本発明は、電解水溶液の処理液を調整設定して成る液体物質の製造を特徴とする。製造方法は、簡便であるが精度の高い均質、合理化ならびに作業能率に関する。
(57)【要約】【課題】従来技術では、降雨時の際、工事記録写真撮影に使用する市販記録用黒板に、チョークで記入した文字等を、雨水により、文字等が消されることを防止する対策が不可欠であり、手間がかかり非常に不合理であった。このことを、簡便に、解消する機能を有することを特徴とする、防水黒板カバーを提供することを課題とする。【解決手段】本発明は、前述の課題を解決するために、降雨時の際、工事記録写真撮影に使用する市販記録用黒板に、チョークで記入した文字等を、雨水により、文字等が消されることを防止する対策が不可欠であり、手間がかかり非常に不合理であった。このことを、簡便に、解消する機能を有することを特徴する防水黒板カバーを提供することである。【選択図】 図２
2011037021.tif 000002
【特許請求の範囲】
【請求項１】
降雨時の際、工事記録写真撮影に使用する市販記録用黒板に、チョークで記入した文字等が、雨水によって消されることなく、簡便に工事写真撮影を可能にする機能を有することを特徴する黒板防水カバー。
【発明の詳細な説明】
【技術分野】
【０００１】
本発明は、降雨時の際にも、工事用記録写真撮影が簡便におこなえる、黒板防水カバーに関する事である。
【背景技術】
【０００２】
従来技術では、降雨時の際、工事記録写真撮影に使用する市販記録用黒板に、チョークで記入した文字等が、雨水によって消されることを防止する対策が不可欠であり、手間がかかり非常に不合理であった。
【発明の概要】
【発明が解決しようとする課題】
【０００３】
従来技術では、降雨時の際、工事記録写真撮影に使用する市販記録用黒板に、チョークで記入した文言等を、雨水により、文字等が消されることを防止する対策が不可欠であり、手間がかかり非常に不合理であった。このことを、簡便に、解消する機能を有することを特徴とする、防水黒板カバーを提供することを課題とする。
【課題を解決するための手段】
【０００４】
前述の課題を解決するために、降雨時の際、工事記録写真撮影に使用する市販記録用黒板に、チョークで記入した文字等を、雨水により、文字等が消されることを防止する対策が不可欠であり、手間がかかり非常に不合理であった。このことを、簡便に、解消する機能を有することを特徴する防水黒板カバーを提供することである。
【発明の効果】
【０００５】
本発明は、降雨時の際、工事記録写真撮影に使用する市販記録用黒板に、チョークで記入した文字等を、雨水により、文字等が消されることを防止する対策が不可欠であったため、非常に不合理であった。このことを、簡便に、解消する機能を有することを特徴とする、防水黒板カバーを提供する。
【図面の簡単な説明】
【０００６】
【図１】本発明の一実施形態を示す黒板防水カバーの概念図である。
【図２】黒板防水カバー使用時の概念図である。
【発明を実施するための形態】
【０００７】
この発明の一実施形態を詳しく説明する。本発明の請求項１に 記載の発明は、降雨時に記入された文字等が雨水等で消されることを防止する機能を有する黒板防水カバーある。
【０００８】
本発明は、市販の記録用黒板にワンタッチで装着可能な記録用黒板防水カバーである。
【０００９】
本発明は、市販の縦型記録用黒板・横型記録用黒板とも兼用で使用出来る黒板防水カバーである。
【００１０】
黒板防水カバーの素材は、透明樹脂板である。
引続き、本発明の実施例を図面に基づき詳しく説明する。
【実施例】
【００１１】
まず図１、図２は本発明の一実施例にかかる黒板防水カバーの概念図である。
【００１２】
図１によると、黒板防水カバー本体２，が市販工事記録写真用黒板１、に取り付けられ、黒板防水カバー本体２、が開かれた状態を示す概念図である。
【００１３】
図２は、黒板防水カバー本体２，が閉じている状態の概念図を示すものである。
【００１４】
図２に示す様に黒板防水カバー本体２、が黒板防水カバー固定部３、を介して、市販工事記録写真用黒板１、にワンタッチで取り付ける。
【００１５】
前述のように、取り付けられた状態の、黒板防水カバー本体２，を開いた状に於いて、文字等を記入する。
【００１６】
文字等を記入し終わると、黒板防水カバー本体２，を閉じて撮影ポイントへ設置し、工事記録写真の撮影を完了する。
【００１７】
「他の実施形態」
実施形態では、形状及材料は、図示されたもの以外の形態機能のものでもよい。
【符号の説明】
【００１８】
１            市販工事記録差新用黒板
２            防水黒板カバー本体
３            黒板防水カバー固定部
【図１】
2011037021.tif 000003
【図２】
2011037021.tif 000004
(57)【要約】【課題】巻回された粘着テープを任意の所望する長さで容易にかつ正確に何回でも繰り返し切断することができるシート体切断装置を提供すること。【解決手段】シート体切断装置９０は、巻回されたテープ（シート体）９１を回転自在に保持するホルダ部９２と、テープ９１の延出方向にホルダ部９２から離間して配された切断刃９３と、表面に長さ測定用の目盛９５が一方向に設けられ、先端側がテープ９１の延出方向に沿ってホルダ部９２側から切断刃９３を越えて移動可能に配された巻尺（測定部）９６と、を備えている。【選択図】図１
2011037631.tif 000002
【特許請求の範囲】
【請求項１】
巻回されたシート体を巻回方向に回転自在に保持するホルダ部と、
前記シート体の延出方向に前記ホルダ部から離間して配された切断刃と、
表面に長さ測定用の目盛が一方向に設けられ、先端側が前記シート体の延出方向に沿って前記ホルダ部側から前記切断刃を越えて移動可能に配された測定部と、
を備えていることを特徴とするシート体切断装置。
【発明の詳細な説明】
【技術分野】
【０００１】
本発明は、シート体切断装置に関する。
【背景技術】
【０００２】
リング状の部材に巻回された粘着テープのようなシート体を回転自在に支持するとともに、これを繰り出して所定の長さで切断することのできる切断刃を備えた机上設置用の切断装置が知られている（例えば、特許文献１参照。）。
【先行技術文献】
【特許文献】
【０００３】
【特許文献１】特開２００１−３１０８６１号公報
【発明の概要】
【発明が解決しようとする課題】
【０００４】
しかしながら、上記従来の切断装置では、粘着テープと切断刃との間の決められた長さ以外、粘着テープを所望の長さで正確に切断することができない。
本発明は上記事情に鑑みて成されたものであり、巻回された粘着テープを任意の所望する長さで容易にかつ正確に何回でも繰り返し切断することができるシート体切断装置を提供することを目的とする。
【課題を解決するための手段】
【０００５】
本発明は、上記課題を解決するため、以下の手段を採用する。
本発明に係るシート体切断装置は、巻回されたシート体を巻回方向に回転自在に保持するホルダ部と、前記シート体の延出方向に前記ホルダ部から離間して配された切断刃と、表面に長さ測定用の目盛が一方向に設けられ、先端側が前記シート体の延出方向に沿って前記ホルダ部側から前記切断刃を越えて移動可能に配された測定部と、を備えていることを特徴とする。
【０００６】
この発明は、巻回されたシート体をホルダ部に保持した状態で、シート体の先端を所望の長さだけ引き出して切断刃で切断する際、シート体とともに測定部の先端側を把持して切断刃から所望の目盛分移動させ、シート体を切断刃に接着させた状態で測定部をシート体から離して、切断刃でシート体のみを切断することにより、所望の長さのシート体片を得ることができる。
【発明の効果】
【０００７】
本発明によれば、巻回された粘着テープを任意の所望する長さで容易にかつ正確に何回でも繰り返し切断することができる。
【図面の簡単な説明】
【０００８】
【図１】本発明の一実施形態に係るシート体切断装置を示す概要図である。
【図２】本発明の一実施形態に係るシート体切断装置の作用を示す説明図である。
【図３】本発明の一実施形態に係るシート体切断装置の作用を示す説明図である。
【発明を実施するための形態】
【０００９】
本発明に係る一実施形態について、図１から図３を参照しながら説明する。
本実施形態に係るシート体切断装置９０は、図１に示すように、巻回されたテープ（シート体）９１を回転自在に保持するホルダ部９２と、テープ９１の延出方向にホルダ部９２から離間して配された切断刃９３と、表面に長さ測定用の目盛９５が一方向に設けられ、先端側がテープ９１の延出方向に沿ってホルダ部９２側から切断刃９３を越えて移動可能に配された巻尺（測定部）９６と、を備えている。
【００１０】
ホルダ部９２及び切断刃９３は、互いに離間した状態で本体９７に一体に配されている。テープ９１には芯部９８が嵌入され、ホルダ部９２には芯部９８が回転自在に保持されている。
【００１１】
巻尺９６は、図示しないリールに巻回されて、ホルダ部９２に対して切断刃９３と反対方向となる本体９７内に収納されている。そして、本体９７から引き出される際に、図示しないバネ等が変形することによって、巻尺９６を離したときに自動的に巻回されて元の状態に戻るようになっている。なお、巻尺９６は、本体９７の表面に一体又は着脱可能に配されていてもよい。
【００１２】
次に、本実施形態に係るシート体切断装置９０の作用について、テープ９１の先端が引き出されて切断刃９３に接着された状態から、テープ９１を切断刃９３によって所望の長さで切断する場合について説明する。まず、巻尺９６の先端部分をホルダ部９２から引き出し、テープ９１の長さ方向に沿って移動して切断刃９３に接着されたテープ９１の先端部分と重ねてともに把持する。そして、切断刃９３に接着されたテープ９１を切断刃９３から離間させ、図２に示すように、巻尺９６の目盛９５を見ながら所望の長さ分、テープ９１を切断刃９３からさらに延出させる。
【００１３】
続いて、テープ９１のみを切断刃９３に接着させ、図３に示すように、巻尺９６をテープ９１から離してテープ９１を切断刃９３に押圧して切断する。このとき、巻尺９６は自動的に巻回されて元の状態に戻る。
【００１４】
このシート体切断装置９０によれば、テープ９１を所望の長さで切断する際、正確な長さで容易に切断することができる。
【００１５】
なお、本発明の技術範囲は上記実施の形態に限定されるものではなく、本発明の趣旨を逸脱しない範囲において種々の変更を加えることが可能である。
【符号の説明】
【００１６】
９０  シート体切断装置
９１  テープ（シート体）
９２  ホルダ部
９３  切断刃
９５  目盛
９６  巻尺（測定部）
【図１】
2011037631.tif 000003
【図２】
2011037631.tif 000004
【図３】
2011037631.tif 000005
(57)【要約】【課題】ブレーキとアクセルの踏み間違いによる事故を防止する自動車を提供する。【解決手段】自動車のペタルの位置を、右側にブレーキペタル、左側にアクセルペタルとする。【選択図】          図１
2011037424.tif 000002
【特許請求の範囲】
【請求項１】
自動車のアクセルペタル、ブレーキペタルの位置を、右側にブレーキペタル、左側にアクセルペタルを設けた事を特徴とする自動車。
【発明の詳細な説明】
【技術分野】
【０００１】
本発明は自動車のアクセルペタル、ブレーキペタルの位置に関するものである。
【背景技術】
【０００２】
従来自動車発進の時は右足の前にある右側のアクセルペタルを踏み込み発進走行させ、停止する時は右足を左側のブレーキペタルへ乗せ変えて踏み込み停止させる。
【発明の概要】
【発明が解決しようとする課題】
【０００３】
従来のアクセルペタル、ブレーキペタルの位置では突然の制動時や慌てた時に、錯乱してブレーキを踏んだ積りが、右足が常に右側のアクセルペタルを踏んで居るものですから、突発の時も右足が無意識に右のアクセルペタルを踏み込み、人身事故や店舗への突っ込み事件、衝突事件等を引き起こしている。
此れ等の事故を防止する目的である。
【課題を解決するための手段】
【０００４】
この発明は自動車運転席のアクセルペタル、ブレーキペタルの位置に関するものであり、右側にブレーキ左側にアクセルペタルを設けた事を特徴とする自動車。
【発明の効果】
【０００５】
本発明の目的は、突差の操作や思い違いの突発な操作で起こる事故を防止し、安心安全な運転操作を求める発明である。少しの器材小さい手間で実現できる特徴がある。
【発明を実施するための形態】
【０００６】
図１は、本発明の運転席足元に設けてあるアクセルペダル１とブレーキペダル２の位置の平面図である。走行中は右足は左側のアクセルペダル１を踏み込み走行し、ブレーキを掛ける時は右足を右側２のペダルに移動して踏み込み制動をする。
【０００７】
図２は、従来のアクセルペタル１、ブレーキペタル２を示す平面図で有る。                                                              
【０００８】
上記工程により、本発明のペタルの位置は走行する時は右足で左側のアクセルペタル１を踏み込み走行し、ブレーキを掛ける時は右足を右側の２のペタルに移動して踏み込み制動をする。
【図面の簡単な説明】
【０００９】
【図１】は、本発明の運転席に設置されているアクセルペタル１とブレーキペタル２を現わす平面図である。
【図２】従来の運転席に設置されている、アクセルペタル１とブレーキペタル２である。
【符号の説明】
【００１０】
１        アクセルペタル
２        ブレーキペタル
３        運転席
【図１】
2011037424.tif 000003
【図２】
2011037424.tif 000004
(57)【要約】【課題】  本発明は、自転車サドルの雨対策器具で、雨が降ってサドルが濡れても困らないように、サドル拭きを自転車に常備できる雨用サドル拭き収納ポットを提供する。【解決手段】  後部に取っ手（２）を設けた棒状の軸芯（１）の周囲に吸水性のスポンジ（３）を設け、スポンジ（３）及び取っ手（２）を円筒状の容器（４）に収納自在とし、容器（４）の胴面に挟み式の取り付け部（５）を設け、上部に開閉式キャップ（６）を設けたことを特徴とする自転車等雨用サドル拭き収納ポットである。【選択図】図１
2011037418.tif 000002
【特許請求の範囲】
【請求項１】
（イ）後部に取っ手（２）を設けた棒状の軸芯（１）の周囲に吸水性のスポンジ（３）を設ける。
（ロ）スポンジ（３）及び取っ手（２）を円筒状の容器（４）に収納自在とする。
（ハ）容器（４）の胴面に挟み式の取り付け部（５）を設け、上部に開閉式キャップ（６）を設ける。
以上よりなる自転車等雨用サドル拭き収納ポット。
【発明の詳細な説明】
【技術分野】
【０００１】  本発明は、自転車サドルの雨対策器具で、雨が降ってサドルが濡れても困らないように、サドル拭きを自転車に常備できる雨用サドル拭き収納ポットに関するものである。
【背景技術】
【０００２】  従来、雨でサドルが濡れた場合、ハンカチ、ティッシュ等で拭き取っていた。
自転車サドルが雨で濡れることを防止するための自転車カバーや、雨用サドルカバーが知られている。
【先行技術文献】
【０００３】
【特許文献１】  特開２００６−０２７３３３号公報
【特許文献２】  特開２００６−１４３１６８号公報
【特許文献３】  特開２００２−２５５０７６号公報
【発明の概要】
【発明が解決しようとする課題】
【０００４】  そのために、次のような問題点がある。
（イ）雨で濡れたサドルを拭き取った後に、ティッシュやハンカチが濡れるため、後始末に困ることがあった。
（ロ）従来のように、サドルカバーを付けたり外したりする手間が面倒であり、また特殊な装置が必要であった。
本発明は、これらの問題点を解決されるためになされたものである。
【課題を解決するための手段】
【０００５】（イ）後部に取っ手（２）を設けた棒状の軸芯（１）の周囲に吸水性のスポンジ（３）を設ける。
（ロ）スポンジ（３）及び取っ手（２）を円筒状の容器（４）に収納自在とする。
（ハ）容器（４）の胴面に挟み式の取り付け部（５）を設け、上部に開閉式キャップ（６）を設ける。
以上のように構成された自転車等雨用サドル拭き収納ポット。
【発明の効果】
【０００６】  サドルの拭きスポンジや布を、自転車に常備しているため、雨の日にサドルが濡れてもすぐに雨水を拭き取ることができ、困らない。
【図面の簡単な説明】
【０００７】
【図１】  本発明の分解斜視図である。
【図２】  本発明の使用状態を示した斜視図である。
【発明を実施するための形態】
【０００８】  以下、本発明の形態について説明する。
（イ）後部に取っ手（２）を設けた棒状の軸芯（１）の周囲に吸水性のある円柱状のスポンジ（３）を設ける。
（ロ）スポンジ（３）及び取っ手（２）を円筒状の容器（４）に収納自在とする。
（ハ）容器（４）の胴面に挟み式の取り付け部（５）を設け、容器（４）の上部に開閉式キャップ（６）を設ける。
本発明は以上のような構成である。
これを使用するときは、容器（４）の開閉式キャップ（６）を開け、容器（４）に収納されている軸芯（１）の取っ手（２）を指でつまんで取り出し、スポンジ（３）で雨に濡れたサドルなどの水分を拭き取る。
使用後は、容器（４）にスポンジ（３）及び取っ手（２）を収納し、開閉式キャップ（６）を閉める。
本体（Ａ）、本体（Ｂ）は、自転車の任意のフレームに取り付け部（５）で装着する。
【符号の説明】
【０００９】１  軸芯
２  取っ手
３  スポンジ
４  容器
５  取り付け部
６  開閉式キャップ
Ａ  本体
Ｂ  本体
【図１】
2011037418.tif 000003
【図２】
2011037418.tif 000004
(57)【要約】【課題】本発明は、マークシートを塗りつぶす際に、鉛筆やシャープペンシルのように同じ箇所を繰り返しマークする手間を無くし、かつ、マークシートの読み取り時にセンサーが正確な読み取りを可能としたマークシート用筆記具を提供する。【解決手段】マークシート用紙にマークする筆記具であって、機械式、電気式、磁気式などで構成された駆動部を設ける。四角形、円形、楕円形など、マークシートのマークと同一形状の先端部位を設ける。先端部位から繰り出される黒鉛がマークシートの形状に合わせ回転もしくは移動することにより、マークシート上に黒鉛が擦りつけられるマークシート用筆記具。【選択図】図１
2011037249.tif 000002
【特許請求の範囲】
【請求項１】
マークシート用紙にマークする筆記具であって、機械式、電気式、磁気式などで構成された駆動部により、黒鉛がマークシートの形状に合わせ回転もしくは移動することにより、マークシート上に黒鉛を擦りつけるマークシート用筆記具。
【請求項２】
四角形、円形、楕円形など、マークシートのマークと同一形状である請求項１のマークシート用筆記具の先端部位の形状。
【請求項３】
四角形、円形、楕円形など、マークシートのマークと同程度もしくはそれより小さい大きさである請求項１のマークシート用筆記具の黒鉛の形状。
【発明の詳細な説明】
【技術分野】
【０００１】  本発明はマークシート用紙にマークするためのマークシート用筆記具に関するものである。
【背景技術】
【０００２】  現在、マークシートにマークするために使用される筆記具としては、鉛筆やシャープペンシルが一般的となっている。鉛筆やシャープペンシルを用いてマークシートにマークする場合、センサーが反応するための色濃度を得るために同じ箇所を繰り返しマークする手間を有する。
前記問題を解消するために可逆熱変色性近赤外吸収組成物を着色剤として用いてなるマークシート用筆記具が開示されている（特許文献１参照）。
【特許文献１】特許公開２００９−２３２００
【発明の概要】
【発明が解決しようとする課題】
【０００３】  鉛筆やシャープペンシルではマークシートにマークする際に、マークからはみ出したり、塗り残しがあったりする場合に、マークシートの読み取り時にセンサーが反応せず正確な読み取りを困難にするといった問題点がある。また、マークシートを鉛筆やシャープペンシルで数多く塗りつぶすことは精神的にも肉体的にも多大な労力を要するため、マークシートが用いられている試験等においては、試験時間の減少など不利益を被る場合がある。
本発明は、以上の問題点を解決し、同じ箇所を繰り返しマークする手間がなく、マークシートからはみ出したり塗り残したりすることを無くし、マークシートの読み取り時にセンサーの正確な読み取りを可能にしたものである。
【課題を解決するための手段】
【０００４】  マークシート用紙にマークする筆記具であって、機械式、電気式、磁気式などで構成された駆動部を設ける。四角形、円形、楕円形など、マークシートのマークと同一形状の先端部位を設ける。先端部位から繰り出される黒鉛がマークシートの形状に合わせ回転もしくは移動することにより、マークシート上に黒鉛が擦りつけられるマークシート用筆記具。
【発明の効果】
【０００５】  本発明を使用することで、マークシートにマークする際にはみ出したり塗り残したりすることを無くし、同じ箇所を繰り返しマークする手間が無くなることから、マークシートのマーク時間を大幅に短縮することができる。
【図面の簡単な説明】
【０００６】
【図１】本発明の斜視図
【図２】本発明の要部拡大の正面図
【図３】本発明を用いてマークされた軌跡（四角形）
【図４】本発明を用いてマークされた軌跡（楕円形）
【発明を実施するための形態】
【０００７】  以下、本発明の実施の形態を説明する。
（イ）プラスチックや金属などの剛体からなる筺体（１）の内部に、黒鉛（５）を回転もしくは移動させる駆動部（２）及び黒鉛（５）が消耗した際に交換する替芯筒（３）を設ける。
（ロ）筺体（１）の上部もしくは側部に駆動部（２）を駆動する駆動釦（２）を設ける。
（ハ）黒鉛（５）を固定するために、把持金具（６）を設ける。
本発明は以上の構成よりなる。
本発明を使用する場合は、駆動釦（２）を押下することにより、黒鉛（５）が回転もしくは移動する。このとき、黒鉛が黒鉛軌跡（９）のように動くことによりマークシート（１０）に黒鉛が摩擦される。
【符号の説明】
【０００８】  （１）筺体、（２）駆動釦、（３）替芯筒、（４）駆動部、（５）黒鉛、（６）把持金具、（７）黒鉛移動前、（８）黒鉛移動後、（９）黒鉛軌跡、（１０）マークシート
【図１】
2011037249.tif 000003
【図２】
2011037249.tif 000004
【図３】
2011037249.tif 000005
【図４】
2011037249.tif 000006
(57)【要約】【課題】  収納時にはタイトルが見えて欲しく、外出時にはタイトルが見えてほしくない要求に対し簡便かつ安価に条件を満たすブックカバーを提供する。【解決手段】  上下逆にも用いることが可能なブックカバーについて、ほぼ上下に等分した位置でエリアを分け、透明または半透明の視認部と不透明な視認遮断部を設けた。【選択図】図１
2011037247.tif 000002
【特許請求の範囲】
【請求項１】
上下逆にも用いることが可能なブックカバーについて、ほぼ上下に等分した位置でエリアを分け、透明または半透明の視認部と不透明な視認遮断部を設けたブックカバー。
【発明の詳細な説明】
【技術分野】
【０００１】  本発明は、本の収納時にタイトルが見やすく、外出時にタイトルを見えにくくしたい要求を満たしやすいブックカバーに関するものである。
【背景技術】
【０００２】  従来、紙、布、革、ビニールなどによるブックカバーがあった。タイトルを判別できるように裏から透明なビニールなどを貼り付けているまたはくりぬかれているブックカバーがあった。無地のパラフィン紙、グラシン紙、トレーシングペーパーによるブックカバーがあった。色の付いたパラフィン紙などによるブックカバーもありえた。題名記載部の設けられたブックカバーがあった。透明の素材に濃色印刷のみのブックカバーがあった。半透明の素材に淡色印刷のみの紙があった。表紙、背表紙などを取り外し透明な部材にすることによりタイトルの視認可能なブックカバーがあった。
本の装丁の一部、表紙、裏表紙、背表紙などを任意に隠せるブックカバーがあった（特許文献１）、簡易ブックカバーがあった（特許文献２）、薄手用ブックカバーがあった（特許文献３）、ブックカバーがあった（特許文献４・５・６・９）、フリーサイズブックカバーがあった（特許文献７）、書籍保護カバーがあった（特許文献８）、絵本のビニルカバーがあった（特許文献１０）、保存に優れたフィルムからなるブックカバー付本及び透明ブックカバーがあった（特許文献１１）、背表紙の見える本カバーがあった（特許文献１２）、タイトルの見える包装紙があった（特許文献１３）、レンタルブックカバーがあった（特許文献１４）、見出し易いブックカバーがあった（特許文献１５）、背表紙の見える本カバーがあった（特許文献１６）。
【特許文献１】特開２００８−３０２５５１号公報
【特許文献２】特開２００８−２７３１６３号公報
【特許文献３】実登３１４５３７２号公報
【特許文献４】特開２００８−１３７３７０号公報
【特許文献５】実登３１４０３８５号公報
【特許文献６】実登３１２７１２４号公報
【特許文献７】特開２００４−０９８６６５号公報
【特許文献８】特開２０００−１９０６５８号公報
【特許文献９】特開２０００−１７７２６８号公報
【特許文献１０】特開平１１−０２０３３７号公報
【特許文献１１】実登３０５１１８１号公報
【特許文献１２】実開０７−０４４７０１号公報
【特許文献１３】特開０７−２２３３８８号公報
【特許文献１４】実登３００６５０１号公報
【特許文献１５】実開平０６−０８６９５０号公報
【特許文献１６】実開平０５−０４１８５１号公報
【発明の開示】
【発明が解決しようとする課題】
【０００３】  そのために、次のような欠点があった。収納時にはタイトルが見えて欲しく、外出時にはタイトルが見えてほしくない要求に対し簡便かつ安価に条件を満たすものがなかった。
【課題を解決するための手段】
【０００４】  上下逆にも用いることが可能なブックカバーについて、ほぼ上下に等分した位置でエリアを分け、透明または半透明の視認部と不透明な視認遮断部を設けた。
【発明の効果】
【０００５】  収納時にタイトルが見えるので本の確認が楽である。また、タイトルが見えずカバーを取る理由が減り、本を傷めにくい。また移動時にタイトルを見えなくできるので、本を判別されたくない要求に応える。使用に手軽であり安価にできる。
【発明を実施するための形態】
【０００６】  以下、本発明の第一実施の形態について説明する。
透明なビニールやフィルム、半透明のグラシン紙やパラフィン紙やトレーシングペーパーなどの視認部が設けられる素材を用いる。
上下にほぼ等分し、片方のエリアに模様などの印刷などで視認遮断部を設ける。
折る目安の目印が記入されている。デザイン、
書店名などが記載されている。
【０００７】  以下、本発明の第二実施の形態について説明する。
視認部を透明なビニールやフィルム、半透明のグラシン紙やパラフィン紙やトレーシングペーパーを用いることは同様である。視認遮断部について先の方法では視認部に使われた素材に印刷などがされたが、本形態ではもとより革、ビニール、フィルム、布など別な不透明な素材で構成されていることを特徴とする。
【０００８】以下、本発明の使用例について説明する。
（イ）収納時は視認部を上にしてカバーをかける。一般的な書物は表紙も背表紙もタイトルが上部中心に書かれていることが多い。そのため、タイトルのほとんどを視認できる状態となる。
（ロ）外出時は視認遮断部を上にしてカバーをかける。タイトルのほとんどが視認できない状態となる。まれに表紙の下部にタイトルのあるケースもあるが、本を読む状態では手で隠れる位置となり、本の使用時にはやはりほとんど視認できなくなる。
【図面の簡単な説明】
【０００９】
【図１】  本発明の斜視図
【図２】  本発明の収納時の使用図
【図３】  本発明の外出時の使用図
【符号の説明】
【００１０】  （１）ブックカバー本体
（２）視認部
（３）視認遮断部
（４）タイトル
【図１】
2011037247.tif 000003
【図２】
2011037247.tif 000004
【図３】
2011037247.tif 000005
(57)【要約】【課題】  限られた紙面の広さから解放する。また、記入した内容が一望できたり、必要なページを簡単に集めて照合したりすることが可能なノート・ブックを提供する。【解決手段】  表紙の裏へ、経本折りされた用紙の一方３を固定し、他方を別に用意した支持体５に固定する。従って、一冊のノート・ブックを二面に大別した構成より成る、複数冊の機能を持つノート・ブックを特徴とする。なお、ルーズ・リーフやバインダー等で活用する場合には、経本折りされた用紙２の幅より表表紙１の幅を広くとり、その広い部分が綴じ込み部分になる。ページの補充用スペアには、経本折りの両端に固定媒体６を備える。【選択図】図１
2011037250.tif 000002
【特許請求の範囲】
【請求項１】
（イ）  表紙１と７の間へ、経本（山・谷）折りされた用紙を挟み、その一方・最初のページ３を表表紙１に固定する。
（ロ）  経本折りの他方・最終のページ４を、別に用意した用紙等（Ｂ面表紙に相当）５に固定する。
以上の構成により、一冊を二冊に大別した結果、二冊の機能へ発展させたノート・ブック。
【請求項２】
（イ）  ルーズ・リーフやバインダー等で使用する場合には、経本折りされた用紙２より、表紙に相当する支持体１の幅を広くし、それに、経本折りの一方・最初のページ３を固定し、他方・最終のページ４を別に用意した支持体５に固定する。
（ロ）  上記、請求項１・２のページ補充用として、経本折りの両端に固定媒体６を備える。以上の構成より成る、各々のスペア。
【発明の詳細な説明】
【技術分野】
【０００１】  この発明は、複数の表紙と、内部の用紙を固定する箇所との関わりから、一冊が複数冊の機能に変身するノート・ブックに関するものである。
【背景技術】
【０００２】  古来より、山谷折りを生かした書簡や経本、その他、それに類する絵巻物や屏風等は存在しているが、用紙の両面を使用し、複数の機能を持つノート・ブックとして活用したものは見当たらない。
【発明の開示】
【発明が解決しようとする課題】
【０００３】  従来のノート・ブックは１ページごとに、用紙の表裏表裏と交互に記入していく。従って、記入する内容によっては広さに不満を感じる。また、記入された内容を一望したり、照合したりすることは不可能であった。
本発明は、以上の欠点を解決するために成されたものである。
【課題を解決するための手段】
【０００４】  経本折りされた用紙の先端（１ページ目、小口あき）３を、表表紙１（小口あき）の裏に固定６する。一方、最終ページ小口あき４の裏とノドあき９の裏を別の支持体・表表紙（Ｂ面用）５と固定する。
本発明は、以上の構成により、一冊を二面に大別した結果、複数冊の機能を可能にしたノート・ブックである。
【発明の効果】
【０００５】  豊かな発想で、横長あるいは縦長の一方へ、どんどん記入していける。また、その全容を、即座に一望したり、必要なページを寄せ集めて比較検討したりすることも可能となった。
【発明を実施するための最良の形態】
【０００６】  一連の表表紙１（Ａ面用とする。）・背表紙・裏表紙７の間へ、記入用に経本折りされた用紙２を挟み、その１ページ目３の小口あき裏側を表表紙１小口あきの裏側に固定６する。一方、最終ページの小口あき４とノドあき９の裏を別に用意した表表紙５（Ｂ面用とする。）の裏側に固定６する。一連の裏表紙７（Ａ・Ｂ面共用）はそのままである。
なお、ルーズ・リーフやバインダー等で活用する場合には、経本折りされた用紙２の幅より表表紙１の幅を広くとり、その広い部分がとじこみ部分になる［図３］。ページの補充用スペアには、経本折りの両端に固定媒体６を備える［図４］。
本発明は、以上のような構造である。
本発明の使用に当たり、ここでは横書きで、左から右へ書き進む形式を取り上げる。縦書きで右から左へ、或いは、縦横書きに関係なく上から下へ書き進める形式は、ノートの向きを変えるだけで解決するため割愛する。
先ず、表紙を開く［図５］。従来のノートと何ら違和感が無く、一冊目（Ａ面）を書き進めることができる。最後のページが終り次へ進むと、二冊目（Ｂ面）の表表紙５［図７］が出てくる。その表紙をめくりながら、今までのノートの左側へ移動（いわゆる変身）８すると、新しいページ［図９］が始まる。一連の裏表紙（Ａ・Ｂ面共用）７は、ページの適当なところに挟む［図１０］。記入を中止する時は、Ｂ面表表紙５を変身前に戻し、裏表紙７で覆えばよい。
また、ページの補充用スペアを使用する場合には、その固定媒体６の有る箇所を確認の上、経本折りの小口かノドを切り離して、接続する。［図４］
【図面の簡単な説明】
【０００７】
【図１】  本発明の斜視図である。
【図２】  本発明の断面図である。
【図３】  本発明の請求項２（イ）バインダー等である。
【図４】  本発明の請求項２（ロ）スペアである。
【図５】  以下、本発明の使用過程を示す正面図である。（表紙を開く。）
【図６】  （４、右側が最終ページ）
【図７】  （５、二冊目（Ｂ面）の表紙が出る。）
【図８】  （８、変身中）
【図９】  （３、変身・左側Ｂ面１ページ目）
【図１０】  （７、裏表紙をしまう。）
【符号の説明】
【０００８】１  表表紙（Ａ面用）
２  経本折りされた用紙
３  最初のページ（小口あき）
４  最終ページ（小口あき）
５  表表紙（Ｂ面用）
６  固定のための媒体
７  裏表紙（Ａ・Ｂ面共用）
８  変身
９  最終ページ（ノドあき）
【図１】
2011037250.tif 000003
【図２】
2011037250.tif 000004
【図３】
2011037250.tif 000005
【図４】
2011037250.tif 000006
【図５】
2011037250.tif 000007
【図６】
2011037250.tif 000008
【図７】
2011037250.tif 000009
【図８】
2011037250.tif 000010
【図９】
2011037250.tif 000011
【図１０】
2011037250.tif 000012